(57)【要約】【課題】発熱体に三相の交流電流を通電した際の突入電流を抑制することができる加熱装置及び画像記録装置を提供する。【解決手段】ＩＲヒータ７４へ三相の交流電流を通電する場合には、発熱体７４ａ，７４ｂが三相交流電源７５に対して直列に接続された状態で通電されるようにリレースイッチ８０ａ〜８０ｃを制御してから予め定められた時間が経過したときに発熱体７４ａ，７４ｂが三相交流電源７５に対して並列に接続された状態で通電されるようにリレースイッチ８０ａ〜８０ｃを制御する。【選択図】図３
2010201627.tif 000002
【特許請求の範囲】
【請求項１】
通電されることにより発熱する複数の発熱体を有する少なくとも１つの発熱手段と、
前記複数の発熱体が三相交流電源に対して直列に接続された状態と並列に接続された状態とに切り替えられる切替手段と、
前記発熱手段へ三相の交流電流を通電する場合には、前記複数の発熱体が前記三相交流電源に対して直列に接続された状態で通電されるように前記切替手段を制御した後、予め定められた時間経過後に前記複数の発熱体が前記三相交流電源に対して並列に接続された状態で通電されるように前記切替手段を制御する制御手段と、
を含む加熱装置。
【請求項２】
前記発熱手段を複数個並列に接続した請求項１記載の加熱装置。
【請求項３】
前記発熱手段を、前記発熱体を複数個直列に接続して構成した請求項１または請求項２記載の加熱装置。
【請求項４】
前記発熱手段を直列に接続された一対の発熱体で構成すると共に、
前記切替手段を、前記三相交流電源の１つの相の出力端子と前記一対の発熱体の接続部との間に接続され、かつ接続状態と切断状態とに切り替えられる第１の接点、前記三相交流電源の残りの２つの相の一方の出力端子と前記一対の発熱体の端部の一方との間に接続され、かつ接続状態と切断状態とに切り替えられる第２の接点、及び前記残りの２つの相の他方の出力端子と前記一対の発熱体の端部の他方との間に接続され、かつ接続状態と切断状態とに切り替えられる第３の接点を備えた切替装置で構成し、
前記制御手段は、前記第１の接点が切断状態で、かつ前記第２の接点及び前記第３の接点が接続状態になるように前記切替装置を制御した後、予め定められた時間経過後に前記第２の接点及び前記第３の接点の接続状態を保持したまま前記第１の接点が接続状態となるように前記切替装置を制御する請求項１または請求項２記載の加熱装置。
【請求項５】
請求項１〜請求項４の何れか１項に記載の加熱装置と、
記録媒体に画像を記録する画像記録手段と、
前記画像記録手段により画像が記録される画像記録面に付着した付着物が前記複数の発熱体によって加熱されるように前記記録媒体を搬送する搬送手段と、
を含む画像記録装置。
【発明の詳細な説明】
【技術分野】
【０００１】
本発明は、加熱装置及び画像記録装置に関する。
【背景技術】
【０００２】
画像記録用の液滴（例えば、インク滴）を吐出する吐出口を備えた記録ヘッドを有し、記録ヘッドの吐出口より液滴を記録媒体（例えば、用紙）に吐出することにより画像を記録するインクジェット記録装置が知られている。一般的に、この種のインクジェット記録装置では、記録媒体に記録された画像の乾燥処理や定着処理を行う際にハロゲンヒータ（以下、「ＩＲヒータ」ともいう。）が使用されている。
【０００３】
ところで、ＩＲヒータは通電されることにより発熱する発熱体を含んで構成されており、発熱体が十分に高温になっていない状態で該発熱体に電流が通電されると、瞬間的に定格電流の約１０倍以上の過大電流（以下、「突入電流」とも言う。）が流れる。これによって、ＩＲヒータを構成する部品やＩＲヒータを制御する素子などが損傷してしまう、という問題や、ＩＲヒータが接続されている電源ラインで瞬間的に電圧降下が生じて、該電源ラインに接続されている他の負荷に定格電流が流れなくなってしまう、という問題が発生する。
【０００４】
突入電流の発生の防止、あるいは突入電流が原因で生じる問題を解消する技術としては、例えば、特許文献１〜６に記載の技術が知られている。特許文献１には、感熱センサが突入電流吸収用抵抗器の異常発熱を検出すると、照明装置の一次側電源を遮断する技術が開示されている。また、特許文献２には、ヒータに通電する際に、ヒータへの通電開始時に生じる突入電流を防止する突入電流防止手段を介して通電を行う通電経路と、突入電流防止手段を介さずに通電を行う通電経路とを切り替える技術が開示されている。また、特許文献３には、定格電流が安定して流れているときでも、蓄熱効果や周囲温度の上昇によって発熱抵抗体付近の温度が所定値に達した場合は、副バイメタルが動作して電流バイパス手段を発熱抵抗体に並列接続することにより、発熱抵抗体の抵抗発熱を減少させ、主バイメタルに対する加熱を抑える技術が開示されている。また、特許文献４には、電源回路に対して複数のヒータ線を直列接続状態または並列接続状態にする技術が開示されている。また、特許文献５には、複数のヒータを直列接続状態にして電源を投入した後に、並列接続に切り替える技術が開示されている。更に、特許文献６には、ヒータ点灯時は複数のヒータを直列接続とし、所定時間経過後に並列接続に切り替える技術が開示されている。
【先行技術文献】
【特許文献】
【０００５】
【特許文献１】特開平５−２３４６８３号公報
【特許文献２】特開平８−２７８７２４号公報
【特許文献３】特開平５−２８２９７７号公報
【特許文献４】特開平５−３２４１０１号公報
【特許文献５】特開平１０−１５３９２４号公報
【特許文献６】特開平１０−２１３９８６号公報
【発明の概要】
【発明が解決しようとする課題】
【０００６】
しかしながら、特許文献１〜６に記載の技術では、三相の交流電流を発生する三相交流電源を用いて発熱体に三相の交流電流を通電した際の突入電流を抑制することができない、という問題点があった。例えば、図１２に示すように、直列に接続された一対の発熱体の一方の発熱体の一端に三相交流電源のＵ相の出力端子を、一方の発熱体の他端と他方の発熱体の一端との接続部分に三相交流電源のＶ相の出力端子を、他方の発熱体の他端にＷ相の出力端子を各々接続して一対の発熱体に各相の交流電流を同時に通電した場合、各発熱体に大きな突入電流が発生してしまう。
【０００７】
本発明は上記問題点を解決するために成されたものであり、発熱体に三相の交流電流を通電した際の突入電流を抑制することができる加熱装置及び画像記録装置を提供することを目的とする。
【課題を解決するための手段】
【０００８】
上記目的を達成するために、請求項１記載の加熱装置は、通電されることにより発熱する複数の発熱体を有する少なくとも１つの発熱手段と、前記複数の発熱体が三相交流電源に対して直列に接続された状態と並列に接続された状態とに切り替えられる切替手段と、前記発熱手段へ三相の交流電流を通電する場合には、前記複数の発熱体が前記三相交流電源に対して直列に接続された状態で通電されるように前記切替手段を制御した後、予め定められた時間経過後に前記複数の発熱体が前記三相交流電源に対して並列に接続された状態で通電されるように前記切替手段を制御する制御手段と、を含んで構成されている。
【０００９】
請求項１記載の加熱装置によれば、少なくとも１つの発熱手段が、通電されることにより発熱する複数の発熱体を有しており、切替手段により、前記複数の発熱体が三相交流電源に対して直列に接続された状態と並列に接続された状態とに切り替えられる。
【００１０】
そして、本発明では、前記発熱手段へ三相の交流電流を通電する場合には、制御手段により、前記複数の発熱体が前記三相交流電源に対して直列に接続された状態で通電されるように前記切替手段が制御された後、予め定められた時間経過後に前記複数の発熱体が前記三相交流電源に対して並列に接続された状態で通電されるように前記切替手段が制御される
【００１１】
このように、本発明によれば、複数の発熱体が三相交流電源に対して直列に接続された状態で通電された後、予め定められた時間経過後に複数の発熱体が三相交流電源に対して並列に接続された状態で通電されるので、発熱体に三相の交流電流を通電した際の突入電流を抑制することができる。
【００１２】
なお、請求項１に記載の加熱装置は、請求項２記載の発明のように、前記発熱手段を複数個並列に接続したものとしてもよい。これにより、複数の発熱手段の各々が有する発熱体に三相の交流電流を通電した際の突入電流を抑制することができる。
【００１３】
また、請求項１または請求項２に記載の加熱装置は、請求項３記載の発明のように、前記発熱手段を、前記発熱体を複数個直列に接続して構成したものとしてもよい。これにより、複数の発熱体に三相の交流電流を通電した際の突入電流を抑制することができる。
【００１４】
また、請求項１または請求項２に記載の加熱装置は、請求項４記載の発明のように、前記発熱手段を直列に接続された一対の発熱体で構成すると共に、前記切替手段を、前記三相交流電源の１つの相の出力端子と前記一対の発熱体の接続部との間に接続され、かつ接続状態と切断状態とに切り替えられる第１の接点、前記三相交流電源の残りの２つの相の一方の出力端子と前記一対の発熱体の端部の一方との間に接続され、かつ接続状態と切断状態とに切り替えられる第２の接点、及び前記残りの２つの相の他方の出力端子と前記一対の発熱体の端部の他方との間に接続され、かつ接続状態と切断状態とに切り替えられる第３の接点を備えた切替装置で構成し、前記制御手段は、前記第１の接点が切断状態で、かつ前記第２の接点及び前記第３の接点が接続状態になるように前記切替装置を制御した後、予め定められた時間経過後に前記第２の接点及び前記第３の接点の接続状態を保持したまま前記第１の接点が接続状態となるように前記切替装置を制御するものである。これにより、一対の発熱体に三相の交流電流を通電した際の突入電流を抑制することができる。
【００１５】
一方、上記目的を達成するために、請求項５記載の画像記録装置は、請求項１〜請求項４の何れか１項に記載の加熱装置と、記録媒体に画像を記録する画像記録手段と、前記画像記録手段により画像が記録される画像記録面に付着した付着物が前記複数の発熱体によって加熱されるように前記記録媒体を搬送する搬送手段と、を含んで構成されている。
【００１６】
従って、本発明の画像記録装置によれば、請求項１〜請求項４の何れか１項に記載の加熱装置と同様に作用するので、当該加熱装置と同様の効果を得ることができる。
【発明の効果】
【００１７】
本発明によれば、発熱体に三相の交流電流を通電した際の突入電流を抑制することができる、という効果が得られる。
【図面の簡単な説明】
【００１８】
【図１】実施形態に係るインクジェット記録装置の全体構成を示す側面図である。
【図２】実施形態に係るヘッドのノズル毎に設けられた液体吐出素子（１つのノズルに対応したインク室ユニット）の立体的構成を示す断面図である。
【図３】実施形態に係るＩＲヒータと三相交流電源との電気的な接続構成を示す接続構成図である。
【図４】実施形態に係るインクジェット記録装置の電気系の要部構成を示すブロック図である。
【図５】実施形態に係る電源供給制御処理プログラムの流れを示すフローチャートである。
【図６】ＩＲヒータに対して三相の交流電流を同時に通電する場合の一例を示す図であり、（ａ）は、ＩＲヒータを構成する一対の発熱体と三相交流電源との電気的な接続構成を示す接続構成図であり、（ｂ）は、三相交流電源からＩＲヒータに供給される電流及び電圧の波形を示す図である。
【図７】実施形態に係るインクジェット記録装置が電源供給制御処理を実行することによりＩＲヒータに対して三相の交流電流を通電する場合の一例を示す図であり、（ａ）は、ＩＲヒータを構成する一対の発熱体と三相交流電源との電気的な接続構成を示す接続構成図であり、（ｂ）は、三相のうちの二相の交流電流をＩＲヒータに通電したときの電流及び電圧の波形を示す図であり、（ｃ）は、三相の交流電流をＩＲヒータに供給したときの電流及び電圧の波形を示す図である。
【図８】３つのＩＲヒータ（６つの発熱体）に対して２つの三相交流電源によって通電を行う場合の発熱体と三相交流電源との電気的な接続構成の一例を示す接続構成図である。
【図９】３つのＩＲヒータ（６つの発熱体）に対して２つの三相交流電源によって通電を行う場合の発熱体と三相交流電源との電気的な接続構成の一例を示す接続構成図である。
【図１０】３つのＩＲヒータ（６つの発熱体）に対して１つの三相交流電源によって通電を行う場合の発熱体と三相交流電源との電気的な接続構成の一例を示す接続構成図である。
【図１１】各々３つの発熱体を有する３つのＩＲヒータに対して１つの三相交流電源によって通電を行う場合の発熱体と三相交流電源との電気的な接続構成の一例を示す接続構成図である。
【図１２】従来技術の説明に供する図である。
【発明を実施するための形態】
【００１９】
以下、図面を参照して本発明を実施するための最良の形態について詳細に説明する。なお、以下の実施形態では、本発明をインク滴を吐出して画像を記録するインクジェット記録装置に適用した場合について説明する。
【００２０】
図１には、本発明の画像記録装置の一実施形態を示すインクジェット記録装置の全体構成図が示されている。同図に示すように、インクジェット記録装置１０には、記録媒体としての枚葉紙（以下、「用紙」という。）Ｐの搬送方向上流側に、用紙Ｐを給紙搬送する給紙搬送部１２が設けられている。この給紙搬送部１２の下流側には、用紙Ｐの搬送方向に沿って、用紙Ｐの記録面に処理液を塗布する処理液塗布部１４、用紙Ｐの記録面に画像を記録する画像記録部１６、記録面に形成された画像を乾燥させるインク乾燥部１８、乾燥した画像を用紙Ｐに定着させる画像定着部２０、画像が定着した用紙Ｐを排出する排出部２１が設けられている。
【００２１】
給紙搬送部１２には、用紙Ｐが積載される積載部２２が設けられており、積載部２２の上部には、該積載部２２に積載された用紙Ｐを一枚ずつ給紙する給紙部２４が設けられている。給紙部２４の用紙Ｐの搬送方向下流側（（以下、「用紙Ｐの搬送方向」を省略する場合もある。）には、複数のローラ２６対で構成された搬送部２８が設けられている。給紙部２４によって給紙された用紙Ｐは、複数のローラ２６対で構成された搬送部２８を経て、処理液塗布部１４へ搬送される。
【００２２】
処理液塗布部１４では、処理液塗布ドラム３０が回転可能に配設されている。この処理液塗布ドラム３０には、用紙Ｐの先端部を挟持して用紙Ｐを保持する保持部材３２が設けられており、該保持部材３２を介して、処理液塗布ドラム３０の表面に用紙Ｐを保持した状態で、処理液塗布ドラム３０の回転によって該用紙Ｐを下流側へ搬送する。
【００２３】
なお、後述する中間搬送ドラム３４、画像形成ドラム３６、インク乾燥ドラム３８及び定着ドラム４０についても、処理液塗布ドラム３０と同様に保持部材３２が設けられている。そして、この保持部材３２によって、上流側のドラムから下流側のドラムへの用紙Ｐの受け渡しが行われる。
【００２４】
処理液塗布ドラム３０の上部には、処理液塗布ドラム３０の周方向に沿って、処理液塗布装置４２及び処理液乾燥装置４４が配設されており、処理液塗布装置４２によって、用紙Ｐの記録面に処理液が塗布され、処理液乾燥装置４４によって、該処理液が乾燥する。
【００２５】
ここで、処理液はインクと反応して色材（顔料）を凝集し、色材（顔料）と溶媒を分離促進する効果を有している。処理液塗布装置４２には、処理液が貯留している貯留部４６が設けられており、グラビアローラ４８の一部が処理液に浸されている。
【００２６】
このグラビアローラ４８にはゴムローラ５０が圧接して配置されており、該ゴムローラ５０が用紙Ｐの記録面側に接触して処理液が塗布される。また、グラビアローラ４８にはスキージ（図示省略）が接触しており、用紙Ｐの記録面に塗布する処理液塗布量を制御する。
【００２７】
処理液膜厚はヘッド打滴の液滴より十分小さいことが理想である。例えば２ｐｌの打滴量の場合、ヘッド打滴の液滴の平均直径は１５．６μｍであり、処理液膜厚が厚い場合、インクドットは用紙Ｐの記録面と接触することなく処理液内で浮遊する。２ｐｌの打滴量で着弾ドット径を３０μｍ以上得るには処理液膜厚を３μｍ以下にすることが好ましい。
【００２８】
一方、処理液乾燥装置４４には、熱風ノズル５４及びＩＲヒータ５６が処理液塗布ドラム３０の表面に近接して配設されている。この熱風ノズル５４及びＩＲヒータ５６により、処理液中の水などの溶媒を蒸発させ、固体もしくは薄膜処理液層を用紙の記録面側に形成する。処理液乾燥工程で処理液を薄層化することで、画像記録部１６でインク打滴したドットが用紙表面と接触して必要なドット径が得られると共に、薄層化した処理液と反応し色材凝集して用紙表面に固定する作用が得られやすい。
【００２９】
このようにして、処理液塗布部１４で記録面に処理液が塗布、乾燥された用紙Ｐは、処理液塗布部１４と画像記録部１６の間に設けられた中間搬送部５８へ搬送される。
【００３０】
中間搬送部５８には、中間搬送ドラム３４が回転可能に設けられており、中間搬送ドラム３４に設けられた保持部材３２を介して、中間搬送ドラム３４の表面に用紙Ｐを保持し、中間搬送ドラム３４の回転によって該用紙Ｐを下流側へ搬送する。
【００３１】
画像記録部１６には、画像形成ドラム３６が回転可能に設けられており、画像形成ドラム３６に設けられた保持部材３２を介して、画像形成ドラム３６の表面に用紙Ｐを保持し、画像形成ドラム３６の回転によって該用紙Ｐを下流側へ搬送する。
【００３２】
画像形成ドラム３６の上部には、画像形成ドラム３６の表面に近接して、シングルパス方式のインクジェットラインヘッド（以下、単に「ヘッド」ともいう。）６４で構成されたヘッドユニット６６が配設されている。このヘッドユニット６６では、少なくとも基本色であるＹＭＣＫのヘッド６４が画像形成ドラム３６の周方向に沿って配列され、処理液塗布部１４で用紙の記録面に形成された処理液層上に各色の画像を記録する。
【００３３】
処理液はインク中に分散する色材（顔料）とラテックス粒子を処理液に凝集する効果を持たせ、用紙Ｐ上で色材流れなど発生しない凝集体を形成する。インクと処理液の反応の一例として、処理液内に酸を含有しＰＨダウンにより顔料分散を破壊し、凝集するメカニズムを用い色材滲み、各色インク間の混色、インク滴の着弾時の液合一による打滴干渉を回避する。
【００３４】
ヘッド６４は、画像形成ドラム３６に配置された回転速度を検出するエンコーダ（図示省略）に同期して打滴を行うことで、高精度に着弾位置を決定すると共に、画像形成ドラム３６の振れ、回転軸６８の精度、ドラム表面速度に依存せず、打滴ムラを低減することが可能となる。
【００３５】
ヘッドユニット６６は、画像形成ドラム３６の上部から退避可能とされており、ヘッド６４のノズル面清掃や増粘インク排出などのメンテナンス動作は、該ヘッドユニット６６を画像形成ドラム３６の上部から退避させることで実施される。
【００３６】
画像記録部１６において記録面に画像が記録された用紙Ｐは、画像形成ドラム３６の回転によって、画像記録部１６とインク乾燥部１８の間に設けられた中間搬送部７０へ搬送されるが、中間搬送部７０については、中間搬送部５８と構成が略同一であるため説明を省略する。
【００３７】
インク乾燥部１８には、インク乾燥ドラム３８が回転可能に設けられており、インク乾燥ドラム３８の上部には、インク乾燥部１８の表面に近接して、熱風ノズル７２及びＩＲヒータ７４が複数配設されている。
【００３８】
ここでは、一例として、上流側と下流側に熱風ノズル７２が配置されるようにして、熱風ノズル７２とＩＲヒータ７４を交互に配置している。これ以外にも、上流側にＩＲヒータ７４を多く配置して上流側で熱エネルギーを多く照射し水分の温度を上昇させ、下流側に熱風ノズル７２を多く配置して飽和水蒸気を吹き飛ばすようにしても良い。
【００３９】
ここで、熱風ノズル７２は、熱風の吹きつけ角度を用紙Ｐの後端側に傾けて配置するようにしている。これにより、熱風ノズル７２による熱風の流れを一方向に集めることができ、また、インク乾燥ドラム３８側へ用紙Ｐを押し付け、該インク乾燥ドラム３８の表面に用紙Ｐを保持させた状態を維持することができる。
【００４０】
これらの熱風ノズル７２及びＩＲヒータ７４による温風によって、用紙Ｐにおける画像が記録された部分では、色材凝集作用により分離された溶媒が乾燥され、薄膜の画像層が形成される。
【００４１】
温風は用紙Ｐの搬送速度によっても異なるが、通常は５０℃〜７０℃に設定され、ＩＲヒータ７４の温度を２００℃〜６００℃に設定する事で、インク表面温度が５０℃〜６０℃になるよう設定されている。蒸発した溶媒はエアーと共に画像形成装置１０の外部へ排出されるが、エアーは回収される。このエアーは、冷却器／ラジエータ等で冷却して液体として回収しても良い。
【００４２】
なお、ＩＲヒータ７４には、三相の交流電流を発生する三相交流電源７５が接続されており、ＩＲヒータ７４は三相交流電源７５から交流電流が供給されることにより発熱する。
【００４３】
記録面の画像が乾燥した用紙Ｐは、インク乾燥ドラム３８の回転によって、インク乾燥部１８と画像定着部２０の間に設けられた中間搬送部７６へ搬送されるが、中間搬送部７６については、中間搬送部５８と構成が略同一であるため説明を省略する。
【００４４】
画像定着部２０には、画像定着ドラム４０が回転可能に設けられており、画像定着部２０は、インク乾燥ドラム３８上で形成された薄層の画像層内のラテックス粒子が加熱／加圧されて溶融し、用紙Ｐ上に固着定着する機能を有する。
【００４５】
画像定着ドラム４０の上部には、画像定着ドラム４０の表面に近接して、加熱ローラ７８が配設されている。この加熱ローラ７８は熱伝導率の良いアルミなどの金属パイプ内にハロゲンランプが組み込まれており、該加熱ローラ７８によって、ラテックスのＴｇ温度以上の熱エネルギーが付与される。これにより、ラテックス粒子を溶融し、用紙上の凹凸に押し込み定着を行うと共に画像表面の凹凸をレベリングし光沢性を得ることを可能とする。
【００４６】
加熱ローラ７８の下流側には、定着ローラ８０が設けられている、この定着ローラ８０は画像定着ドラム４０の表面に圧接した状態で配置され、画像定着ドラム４０との間でニップ力を得るようにしている。このため、定着ローラ８０又は画像定着ドラム４０のうち、少なくとも一方は表面に弾性層を持ち、用紙Ｐに対して均一なニップ幅を持つ構成とする。
【００４７】
以上のような工程により、記録面の画像が定着した用紙Ｐは、画像定着ドラム４０の回転によって、画像定着部２０の下流側に設けられた排出部２１側へ搬送される。
【００４８】
なお、本実施形態では、画像定着部２０について説明したが、インク乾燥部１８で記録面に形成された画像を乾燥・定着させることができれば良いため、この画像定着部２０は必ずしも必要ではない。
【００４９】
図２には、ヘッド６４のノズル毎に設けられた液滴吐出素子（１つのノズル１５１に対応したインク室ユニット）１５３の立体的構成を示す断面図が示されている。同図に示すように、各圧力室１５２は供給口１５４を介して共通流路１５５と連通されている。共通流路１５５はインク供給源たるインクタンク（図示省略）と連通しており、インクタンクから供給されるインクは共通流路１５５を介して各圧力室１５２に分配供給される。
【００５０】
圧力室１５２の一部の面（図２において天面）を構成している加圧板（共通電極と兼用される振動板）１５６には個別電極１５７を備えたアクチュエータ１５８が接合されている。個別電極１５７と共通電極間に駆動電圧を印加することによってアクチュエータ１５８が変形して圧力室１５２の容積が変化し、これに伴う圧力変化によりノズル１５１からインクが吐出される。なお、アクチュエータ１５８には、チタン酸ジルコン酸鉛やチタン酸バリウムなどの圧電体を用いた圧電素子が好適に用いられる。インク吐出後、アクチュエータ１５８の変位が元に戻る際に、共通流路１５５から供給口１５４を通って新しいインクが圧力室１５２に再充填される。
【００５１】
従って、本実施形態に係るインクジェット記録装置１０では、画像情報から生成されるドット配置データに応じて各ノズル１５１に対応したアクチュエータ１５８の駆動を制御することにより、ノズル１５１からインク滴を吐出させることができる。また、本実施形態に係るインクジェット記録装置１０では、用紙Ｐを一定の速度で副走査方向に搬送しながら、その搬送速度に合わせて各ノズル１５１のインク吐出タイミングを制御することによって、用紙Ｐ上に所望の画像を記録することができる。
【００５２】
なお、本実施形態では、ピエゾ素子（圧電素子）に代表されるアクチュエータ１５８の変形によってインク滴を飛ばす方式が採用されているが、本発明の実施に際して、インクを吐出させる方式は特に限定されず、ピエゾジェット方式に代えて、ヒータなどの発熱体によってインクを加熱して気泡を発生させ、その圧力でインク滴を飛ばすサーマルジェット方式など、各種方式を適用できる。
【００５３】
ここで、本実施形態に係るＩＲヒータ７４及び三相交流電源７５の詳細な接続構成について説明する。図３には、本実施形態に係るＩＲヒータ７４と三相交流電源７５との電気的な接続構成を示す接続構成図が示されている。なお、本実施形態に係るインクジェット記録装置１０では、複数のＩＲヒータ７４を採用しているが、各ＩＲヒータ７４は同一構成であるため、ここでは、１つのＩＲヒータ７４を代表して説明する。
【００５４】
同図に示すように、ＩＲヒータ７４は、通電されることにより発熱する発熱体７４ａ，７４ｂを含んで構成されている。発熱体７４ａ，７４ｂは直列に接続されている。なお、本実施形態に係るインクジェット記録装置１０では、発熱体７４ａ，７４ｂとしてニクロム線を用いているが、これに限らず、タングステン線などの他の抵抗発熱体を用いてもよい。
【００５５】
一方、三相交流電源７５は、Ｕ相の交流電流を出力する出力端子７５ａ、Ｗ相の交流電流を出力する出力端子７５ｂ、及びＶ相の交流電流を出力する出力端子７５ｃを備えている。
【００５６】
また、インクジェット記録装置１０は、発熱体７４ａ，７４ｂが三相交流電源７５に対して直列に接続された状態と並列に接続された状態とに切り替え可能となるように、出力端子７５ａ〜７５ｃの各々と発熱体７４ａ，７４ｂとが接続された状態と切断された状態とに切り替えられるスイッチ装置８０を備えている。スイッチ装置８０は、後述するシステムコントーラ１８８の指示に従ってオン、オフするリレースイッチ８０ａ〜８０ｃを含んで構成されており、発熱体７４ａの一端に接続された端子８１ａにリレースイッチ８０ａを介して出力端子７５ａが、発熱体７４ｂの一端に接続された端子８１ｂにリレースイッチ８０ｂを介して出力端子７５ｂが、発熱体７４ａと発熱体７４ｂとの接続部分に接続された端子８１ｃにリレースイッチ８０ｃを介して出力端子７５ｃが各々接続可能とされている。なお、本実施形態に係るインクジェット記録装置１０では、リレースイッチ８０ａ〜８０ｃを用いているが、これに限らず、トランジスタ、サイリスタ、ＳＳＲ（Solid State Relay）などのスイッチング素子を用いてもよい。
【００５７】
図４は、インクジェット記録装置１０の電気系の要部構成を示すブロック図である。同図に示すように、インクジェット記録装置１０は、通信インタフェース１８６、システムコントローラ１８８、ＲＯＭ（Read Only Memory）１９０、画像メモリ１９１、ＵＩ（ユーザ・インタフェース）パネル１９２、及びプリント制御部１９４を含んで構成されている。
【００５８】
システムコントローラ１８８には、通信インタフェース１８６、ＲＯＭ１９０、画像メモリ１９１、ＵＩパネル１９２、及びプリント制御部１９４が接続されている。
【００５９】
通信インタフェース１８６は、ユーザがインクジェット記録装置１０に対して印刷の指示等を行うため等に用いられるホスト装置１１とのインタフェース部である。通信インタフェース１８６にはＵＳＢ（Universal Serial Bus）、ＩＥＥＥ１３９４、イーサネット（登録商標）、無線ネットワークなどのシリアルインタフェースやセントロニクスなどのパラレルインタフェースを適用することができる。この部分には、通信を高速化するためのバッファメモリ（図示省略）を搭載しても良い。
【００６０】
ホスト装置１１から送出された用紙Ｐに記録すべき画像を示す画像情報は通信インタフェース１８６を介してインクジェット記録装置１０に取り込まれ、一旦画像メモリ１９１に記憶される。画像メモリ１９１は、通信インタフェース１８６を介して入力された画像信号を記憶する記憶手段であり、システムコントローラ１８８を通じてデータの読み書きが行われる。画像メモリ１９１は、半導体素子からなるメモリに限らず、ハードディスクなど磁気媒体を用いてもよい。
【００６１】
ＵＩパネル１９２は、ディスプレイ上に透過型のタッチパネルが重ねられたタッチパネルディスプレイ等から構成され、各種情報がディスプレイの表示面に表示されると共に、ユーザがタッチパネルに触れることにより所望の情報や指示が入力される。
【００６２】
システムコントローラ１８８は、ＣＰＵ（中央演算処理装置）及びその周辺回路等から構成され、所定のプログラムに従ってインクジェット記録装置１０の全体を制御する制御装置として機能するとともに、各種演算を行う演算装置として機能する。すなわち、システムコントローラ１８８は、通信インタフェース１８６、ＲＯＭ１９０、画像メモリ１９１、及びプリント制御部１９４の各部を制御し、ＵＩパネル１９２への各種情報の表示、ＵＩパネル１９２に対するユーザの操作指示内容の把握、ホスト装置１１との間の通信制御、ＲＯＭ１９０及び画像メモリ１９１の読み書き制御等を行うと共に、搬送系のモータ（図示省略）を制御する制御信号を生成する。なお、プリント制御部１９４に対しては、制御信号の他に、画像メモリ１９１に記憶された画像情報を送信する。
【００６３】
また、ＲＯＭ１９０には、システムコントローラ１８８が実行するプログラム及び制御に必要な各種データなどが格納されている。ＲＯＭ１９０は、書換不能な記憶手段であってもよいが、各種のデータを必要に応じて更新する場合は、ＥＥＰＲＯＭのような書換可能な記憶手段を用いることが好ましい。
【００６４】
画像メモリ１９１は、画像情報の一時記憶領域として利用されるとともに、プログラムの展開領域及びシステムコントローラ１８８の演算作業領域としても利用される。
【００６５】
プリント制御部１９４は、システムコントローラ１８８の制御に従い、システムコントローラ１８８から送信された画像情報から吐出制御用の信号を生成するための各種加工、補正などの処理を行う信号処理手段として機能するとともに、生成したインク吐出データに基づいてヘッド６４の吐出駆動を制御するものであり、ＹＭＣＫの各ヘッド６４に対して１つずつ設けられている。
【００６６】
また、インクジェット記録装置１０は、スイッチ制御部１９６を含んで構成されている。スイッチ制御部１９６は、システムコントローラ１８８及びスイッチ装置８０に接続されており、システムコントローラ１８８の指示に従ってリレースイッチ８０ａ〜８０ｃのオン、オフを制御する。
【００６７】
また、システムコントーラ１８８には、三相交流電源７５が接続されている。従って、システムコントローラ１８８は、三相交流電源７５の駆動制御を行うことができる。
【００６８】
次に、本実施形態に係るインクジェット記録装置１０の作用を説明する。
【００６９】
本実施形態に係るインクジェット記録装置１０では、積載部２２から給紙部２４によって用紙Ｐが給紙され、搬送部２８を経て、処理液塗布部１４へ搬送される。処理液塗布部１４では、用紙Ｐの記録面に処理液が塗布され、該処理液を乾燥させる。その後、該用紙Ｐは、中間搬送部５８を経て、画像記録部１６へ搬送され、画像形成ドラム３６の表面に保持される。そして、画像記録部１６では、画像情報に基づいてヘッド６４のノズル１５１から用紙Ｐの記録面に対してインク滴が吐出される。これによって用紙Ｐの記録面には上記画像情報により示される画像が記録される。
【００７０】
画像記録部１６において記録面に画像が記録された用紙Ｐは、中間搬送部７０を経て、インク乾燥部１８へ搬送される。インク乾燥部１８では、用紙Ｐの記録面のインクを乾燥させる。その後、該用紙Ｐは、中間搬送部７６を経て、画像定着部２０へ搬送される。画像定着部２０では、用紙Ｐの記録面に記録された画像の定着処理が行われる。そして、記録面に画像が定着した用紙Ｐは、画像定着ドラム４０の回転によって排出部２１側へ搬送される。
【００７１】
ところで、インク乾燥部１８では、ＩＲヒータ７４の輻射熱を利用して用紙Ｐの記録面のインクに含まれる溶媒を蒸発させるようにしている。しかし、ＩＲヒータ７４から熱を発生させるために、三相交流電源７５からＩＲヒータ７４に対して、一例として図６（ａ）に示すように、端子８１ａに出力端子７５ａを、端子８１ｂに出力端子７５ｂを、端子８１ｃに出力端子７５ｃを各々接続した状態で三相の交流電流を同時に通電した場合、突入電流が発生してしまう。なお、このとき、出力端子７５ａとＩＲヒータ７４との間に流れる電流波形、出力端子７５ｃとＩＲヒータ７４との間に流れる電流波形、及びＩＲヒータ７４に印加される電圧波形は、一例として同図（ｂ）に示すように表れる。
【００７２】
そこで、本実施形態に係るインクジェット記録装置１０では、ＩＲヒータ７４から熱を発生させる際の三相交流電源７５からＩＲヒータ７４への三相交流電流の供給状態を制御する電流供給制御処理が実行される。
【００７３】
ここで、図５を参照して上記電流供給制御処理が実行される際のインクジェット記録装置１０の作用を説明する。なお、図５は、その際にシステムコントローラ１８８によって実行される電流供給制御処理プログラムの処理の流れを示すフローチャートであり、当該プログラムはＲＯＭ１９０の所定領域に予め記憶されている。なお、ここでは、錯綜を回避するために、上記電流供給制御処理の実行開始時に、三相交流電源７５が作動しており、かつリレースイッチ８０ａ〜８０ｃがオフ状態になっているものとして説明する。
【００７４】
同図のステップ２００では、リレースイッチ８０ａ，８０ｂがオン状態になるようにスイッチ制御部１９６を制御する。これによって、スイッチ制御部１９６は、リレースイッチ８０ａ，８０ｂをオン状態にする。このとき、一例として図７（ａ）に示すように、出力端子７５ａと端子８１ａとが接続された状態となり、出力端子７５ｂと端子８１ｂとが接続された状態となり、出力端子７５ｃと端子８１ｃとが切断された状態となる。すなわち、発熱体７４ａ，７４ｂが三相交流電源７５に対して直列に接続された状態で通電されることになり、出力端子７５ａとＩＲヒータ７４との間に流れる電流波形、出力端子７５ｃとＩＲヒータ７４との間に流れる電流波形、及びＩＲヒータ７４に印加される電圧波形は、一例として図７（ｂ）に示すように表れる。図７（ｂ）における出力端子７５ａとＩＲヒータ７４との間に流れる初期の電流波形と、図６（ｂ）における出力端子７５ａとＩＲヒータ７４との間に流れる初期の電流波形とを比較すると、図７（ｂ）に示す電流波形の振幅の方が図６（ｂ）に示す電流波形の振幅よりも小さくなっており、端子８１ａに出力端子７５ａを、端子８１ｂに出力端子７５ｂを、端子８１ｃに出力端子７５ｃを各々接続した状態で三相の交流電流を同時に供給した場合に比べ、突入電流が大幅に抑制されていることが分かる。
【００７５】
次のステップ２０２では、上記ステップ２００の処理が終了してから予め定められた時間（ここでは、インクジェット記録装置１０の実機による実験やインクジェット記録装置１０の設計仕様に基づくコンピュータ・シミュレーション等によって、発熱体７４ａ，７４ｂが十分に高温になり、発熱体７４ａ，７４ｂの合成抵抗値が突入電流を防止する許容値に至ったものとして予め得られた時間）に達するまで待機する。
【００７６】
次のステップ２０４では、リレースイッチ８０ｃがオン状態となるようにスイッチ制御部１９６を制御した後、本電流供給制御処理プログラムを終了する。本ステップ２０４の処理により、スイッチ制御部１９６は、リレースイッチ８０ｃをオン状態にする。このとき、出力端子７５ａと端子８１ａとが接続された状態となり、出力端子７５ｂと端子８１ｂとが接続された状態となり、出力端子７５ｃと端子８１ｃとが接続された状態となる。すなわち、発熱体７４ａ，７４ｂが三相交流電源７５に対して並列に接続された状態で通電されることになり、出力端子７５ａとＩＲヒータ７４との間に流れる電流波形、出力端子７５ｃとＩＲヒータ７４との間に流れる電流波形、及びＩＲヒータ７４に印加される電圧波形は、一例として図７（ｃ）に示すように表れる。図７（ｃ）における出力端子７５ｃとＩＲヒータ７４との間に流れる初期の電流波形と、図６（ｂ）における出力端子７５ｃとＩＲヒータ７４との間に流れる初期の電流波形とを比較すると、図７（ｃ）に示す電流波形の振幅の方が図６（ｂ）に示す電流波形の振幅よりも小さくなっており、端子８１ａに出力端子７５ａを、端子８１ｂに出力端子７５ｂを、端子８１ｃに出力端子７５ｃを各々接続した状態で三相の交流電流を同時に供給した場合に比べ、突入電流が大幅に抑制されていることが分かる。
【００７７】
以上詳細に説明したように、本実施形態に係るインクジェット記録装置１０によれば、通電されることにより発熱する複数の発熱体（ここでは、発熱体７４ａ，７４ｂ）を有する少なくとも１つの発熱手段（ここでは、ＩＲヒータ７４）と、複数の発熱体が三相交流電源７５に対して直列に接続された状態と並列に接続された状態とに切り替えられる切替手段（ここでは、スイッチ装置８０）と、ＩＲヒータ７４へ三相の交流電流を通電する場合には、複数の発熱体が三相交流電源７５に対して直列に接続された状態で通電されるように切替手段を制御した後、予め定められた時間経過後に複数の発熱体が三相交流電源７５に対して並列に接続された状態で通電されるように切替手段を制御する制御手段（ここでは、システムコントローラ１８８）と、を備えているので、発熱体に三相の交流電流を通電した際の突入電流を抑制することができる。
【００７８】
また、本実施形態に係るインクジェット記録装置１０によれば、発熱手段を直列に接続された一対の発熱体７４ａ，７４ｂで構成すると共に、切替手段を、三相交流電源７５の１つの相の出力端子７５ｃと一対の発熱体７４ａ，７４ｂの接続部（ここでは、端子８１ｃ）との間に接続され、かつ接続状態（オン状態）と切断状態（オフ状態）とに切り替えられる第１の接点（ここでは、リレースイッチ８０ｃ）、三相交流電源７５の残りの２つの相の一方の出力端子７５ａと発熱手段の端部の一方（ここでは、端子８１ａ）との間に接続され、かつ接続状態と切断状態とに切り替えられる第２の接点（ここでは、リレースイッチ８０ａ）、及び残りの２つの相の他方の出力端子７５ｂと発熱手段の端部の他方（ここでは、端子８１ｂ）との間に接続され、かつ接続状態と切断状態とに切り替えられる第３の接点（ここでは、リレースイッチ８１ｂ）を備えた切替装置（ここでは、スイッチ装置８０）で構成し、制御手段が、第１の接点が切断状態で、かつ第２の接点及び第３の接点が接続状態となるように切替装置を制御した後、予め定められた時間経過後に第２の接点及び第３の接点の接続状態を保持したまま第１の接点が接続状態となるように切替装置を制御しているので、一対の発熱体７４ａ，７４ｂに三相の交流電流を通電した際の突入電流を抑制することができる。
【００７９】
以上、本発明を上記実施形態を用いて説明したが、本発明の技術的範囲は上記実施形態に記載の範囲には限定されない。発明の主旨を逸脱しない範囲で上記実施形態に多様な変更または改良を加えることができ、当該変更または改良を加えた形態も本発明の技術的範囲に含まれる。
【００８０】
また、上記実施形態は、特許請求の範囲に記載された発明を限定するものではなく、また、上記実施形態の中で説明されている特徴の組み合わせの全てが発明の解決手段に必須であるとは限らない。上記実施形態には種々の段階の発明が含まれており、開示される複数の構成要件における状況に応じた組み合わせにより種々の発明を抽出できる。上記実施形態に示される全構成要件から幾つかの構成要件が削除されても、効果が得られる限りにおいて、この幾つかの構成要件が削除された構成が発明として抽出され得る。
【００８１】
例えば、上記実施形態では、１つのＩＲヒータ７４（発熱体７４ａ，７４ｂ）に対して１つの三相交流電源７５によって通電を行う場合の形態例を挙げて説明したが、本発明はこれに限定されるものではなく、複数のＩＲヒータ７４に対して三相交流電源７５を用いて交流電流を通電してもよい。
【００８２】
しかし、一例として図８に示すように、３つのＩＲヒータ（６つの発熱体）に対して２つの三相交流電源によって通電を行う場合、発熱体を３つずつの組に分け、各組の発熱体をデルタ結線で接続し、１組の発熱体間の各接続部に対して１つの三相交流電源のＵ相、Ｖ相、Ｗ相の各出力端子を接続して同時に交流電流を供給すると、２系統のスイッチに分けても、１組のスイッチあたりの各相に流れる突入電流は、発熱体１本当たりの定格電流の約２０倍にも達することになる。
【００８３】
そこで、３つのＩＲヒータ３００，３０２，３０４に対して２つの三相交流電源によって通電を行う場合、一例として図９に示すように、ＩＲヒータ３００を構成している発熱体３００ａ，３００ｂを直列に接続し、ＩＲヒータ３０２を構成している発熱体３０２ａ，３０２ｂを直列に接続し、ＩＲヒータ３０４を構成している発熱体３０４ａ，３０４ｂを直列に接続する。また、発熱体３００ａ，３０２ａの各一端に共通に接続された端子３０８ａをリレースイッチ３１０ａを介して一方の三相交流電源のＵ相の出力端子３０６ａに、発熱体３００ｂ，３０４ｂの各一端に共通に接続された端子３０８ｃをリレースイッチ３１０ｃを介して一方の三相交流電源のＷ相の出力端子３０６ｃに、発熱体３００ａ，３００ｂの接続部に接続された端子３１４ｂをリレースイッチ３１６ｂを介して他方の三相交流電源のＶ相の出力端子３１２ｂに、発熱体３０２ａ，３０２ｂの接続部に接続された端子３１４ｃをリレースイッチ３１６ｃを介して他方の三相交流電源のＷ相の出力端子３１２ｃに、発熱体３０２ｂ，３０４ａの各一端に共通に接続された端子３０８ｂをリレースイッチ３１０ｂを介して一方の三相交流電源のＶ相の出力端子３０６ｂに、発熱体３０４ａ，３０４ｂの接続部に接続された端子３１４ａをリレースイッチ３１６ａを介して他方の三相交流電源のＵ相の出力端子３１２ａに、各々接続可能とする。
【００８４】
そして、各三相交流電源を作動させた状態で、ＩＲヒータ３００，３０２，３０４による加熱開始時にリレースイッチ３１０ａ〜３１０ｃをオン状態にしてから上記予め定められた時間が経過したときにリレースイッチ３１６ａ〜３１６ｃをオン状態にする。
【００８５】
このように構成することにより、３つのＩＲヒータ３００，３０２，３０４に対して２つの三相交流電源によって通電を行った場合であっても、上記実施形態と同様に、各ＩＲヒータに流れる突入電流を抑制することができる。
【００８６】
なお、３つのＩＲヒータ３００，３０２，３０４に対して１つの三相交流電源によって通電を行ってもよい。この場合、一例として図１０に示すように、発熱体３００ａ，３０２ａ，３０４ａの各一端に共通に接続された端子３２４ａをリレースイッチ３２２ａを介して三相交流電源のＵ相の出力端子３２０ａに、発熱体３００ｂ，３０２ｂ，３０４ｂの各一端に共通に接続された端子３２４ｂをリレースイッチ３２２ｂを介して三相交流電源のＷ相の出力端子３２０ｂに、発熱体３００ａ，３００ｂの接続部、発熱体３０２ａ，３０２ｂの接続部、及び発熱体３０４ａ，３０４ｂの接続部に共通に接続された端子３２４ｃをリレースイッチ３２２ｃを介して三相交流電源のＶ相の出力端子３２０ｃに、各々接続可能とする。そして、三相交流電源を作動させた状態で、ＩＲヒータ３００，３０２，３０４による加熱開始時にリレースイッチ３２２ａ，３２２ｂをオン状態にしてから上記予め定められた時間が経過したときにリレースイッチ３２２ｃをオン状態にする。
【００８７】
このように構成することにより、３つのＩＲヒータ３００，３０２，３０４に対して１つの三相交流電源によって通電を行った場合であっても、上記実施形態と同様に、各ＩＲヒータに流れる突入電流を抑制することができる。
【００８８】
また、上記実施形態では、一対の発熱体７４ａ，７４ｂを有するＩＲヒータ７４を例に挙げて説明したが、本発明はこれに限定されるものではなく３つ以上の発熱体を有するＩＲヒータであってもよい。一例として図１１に示すように、直列に接続された発熱体３２５ａ〜３２５ｃを有するＩＲヒータ３２５、直列に接続された発熱体３２６ａ〜３２６ｃを有するＩＲヒータ３２６、及び直列に接続された発熱体３２７ａ〜３２７ｃを有するＩＲヒータ３２７に対して三相交流電源から三相の交流電流を供給する場合、発熱体３２５ａ，３２６ａ，３２７ａの各一端に共通に接続された端子３３０ａをリレースイッチ３２９ａを介して三相交流電源のＵ相の出力端子３２８ａに、発熱体３２５ｃ，３２６ｃ，３２７ｃの各一端に共通に接続された端子３３０ｂをリレースイッチ３２９ｂを介して三相交流電源のＷ相の出力端子３２８ｂに、発熱体３２５ａ，３２６ａ，３２７ａの各他端に共通に接続された端子３３０ｃをリレースイッチ３２９ｃを介して三相交流電源の出力端子３２８ｃに、各々接続可能とする。そして、三相交流電源を作動させた状態で、ＩＲヒータ３２５〜３２７による加熱開始時にリレースイッチ３２９ａ及び３２９ｂをオン状態にしてから上記予め定められた時間が経過したときにリレースイッチ３２９ｃをオン状態にする。
【００８９】
このように構成することにより、３つの発熱体を有するＩＲヒータに流れる突入電流を抑制することができる。なお、４つ以上の発熱体を有するＩＲヒータに対しても同様の接続構成にして、同様の制御を行えばよい。
【００９０】
また、上記実施形態では、発熱体７４ａの一端にＵ相の交流電流を、発熱体７４ｂの一端にＷ相の交流電流を、発熱体７４ａ及び発熱体７４ｂの接続部にＶ相の交流電流を各々供給する場合の形態例を挙げて説明したが、例えば、発熱体７４ａの一端にＶ相の交流電流を、発熱体７４ｂの一端にＷ相の交流電流を、発熱体７４ａ及び７４ｂの接続部にＵ相の交流電流を各々供給してもよい。このように、発熱体７４ａの一端、発熱体７４ｂの一端、及び発熱体７４ａ，７４ｂの接続部の各々に対して１相の交流電流が供給されるのであれば三相のうちの何れの相の交流電流を供給してもよい。
【００９１】
また、上記実施形態では、インク乾燥部１８を構成しているＩＲヒータ７４に対して本発明を適用した場合について説明したが、本発明はこれに限定されるものではなく、処理液乾燥装置４４を構成しているＩＲヒータ５６や、加熱ローラ７８に組み込まれているハロゲンランプに本発明を適用してもよい。このように、三相交流電流が供給されることにより、用紙Ｐの記録面に付着した処理液やインクなどの付着物を加熱するものであれば如何なるものにも本発明は適用可能である。
【００９２】
また、上記実施形態では、インクジェット記録装置１０を例に挙げて説明したが、本発明はこれに限定されるものではなく、本発明を、ゼログラフィ方式や液体マグネトグラフィ方式などのインクジェット方式以外の画像記録方式で画像記録を行う画像記録装置であって、かつ乾燥装置や熱定着装置などの加熱装置を有するものに対して適用してもよい。
【００９３】
また、上記実施形態で説明したインクジェット記録装置１０の構成（図１〜図４を参照。）は一例であり、本発明の主旨を逸脱しない範囲内において状況に応じて変更可能であることは言うまでもない。
【００９４】
また、上記実施形態で説明したフローチャートの流れ（図５を参照。）も一例であり、本発明の主旨を逸脱しない範囲内において不要なステップを削除したり、新たなステップを追加したり、処理順序を入れ替えたりすることができることは言うまでもない。
【符号の説明】
【００９５】
１０  インクジェット記録装置
３８  インク乾燥ドラム（搬送手段）
６４  インクジェットラインヘッド（画像記録手段）
７４  赤外線ヒータ（発熱手段）
７４ａ，７４ｂ  発熱体
７５  三相交流電源
７５ａ〜７５ｃ  出力端子
８０  スイッチ装置（切替手段、切替装置）
８０ａ  リレースイッチ（第２の接点）
８０ｂ  リレースイッチ（第３の接点）
８０ｃ  リレースイッチ（第１の接点）
１８８  システムコントローラ（制御手段）
【図１】
2010201627.tif 000003
【図２】
2010201627.tif 000004
【図３】
2010201627.tif 000005
【図４】
2010201627.tif 000006
【図５】
2010201627.tif 000007
【図８】
2010201627.tif 000008
【図９】
2010201627.tif 000009
【図１０】
2010201627.tif 000010
【図１１】
2010201627.tif 000011
【図１２】
2010201627.tif 000012
【図６】
2010201627.tif 000013
【図７】
2010201627.tif 000014